(57)【特許請求の範囲】
【請求項１】
撮影光学系により結像された被写体像を撮像素子で撮像する撮影ユニットと、画像データに基づく投射用画像を投射するプロジェクタモジュールとを備えるプロジェクタ機能付きカメラにおいて、
前記撮影ユニットは、使用時にカメラボディの前方に突出するように繰り出されるレンズ鏡筒を備え、
前記プロジェクタモジュールは、光を前記レンズ鏡筒側からカメラ側面方向に出射する光源と、前記光源の光を画像データに基づいて変調する反射型液晶パネルと、前記反射型液晶パネルからの光を偏光分離して前記カメラボディの天地方向に出射する偏光ビームスプリッターと、前記偏光ビームスプリッターからの光を前記カメラボディの投射口からカメラ前方に投射する投射光学系とを備え、前記プロジェクタモジュールは前記光源を前記撮影ユニット側に突出させてＬ字状に形成され、
前記撮影ユニットと前記プロジェクタモジュールとは、前記カメラボディ内に隣接して配置され、
前記撮影ユニットと前記プロジェクタモジュールと間であって前記光源の上部にフラッシュ用のコンデンサを配置し、
前記投射口から投影される前記光が、前記繰り出されたレンズ鏡筒に遮られない位置に前記投射口を配置したことを特徴とするプロジェクタ機能付きカメラ。
【請求項２】
請求項１に記載のプロジェクタ機能付きカメラにおいて、
前記光源と前記レンズ鏡筒との間に設けられ、前記光源の発熱部に接触するように配置された三脚固定用ブロックを備えたことを特徴とするプロジェクタ機能付きカメラ。
【請求項３】
撮影光学系により結像された被写体像を撮像素子で撮像する撮影ユニットと、画像データに基づく投射用画像を投射するプロジェクタモジュールとを備えるプロジェクタ機能付きカメラにおいて、
前記撮影ユニットは、使用時にカメラボディの前方に突出するように繰り出されるレンズ鏡筒と、前記レンズ鏡筒を駆動する駆動部とを備え、
前記プロジェクタモジュールは、光を前記カメラボディの前方の方向に出射する光源と、前記光源の光を画像データに基づいて変調する反射型液晶パネルと、前記反射型液晶パネルからの光を偏光分離して前記カメラボディの天地方向に出射する偏光ビームスプリッターと、前記偏光ビームスプリッターからの光を前記カメラボディの投射口からカメラ前方に投射する投射光学系とを備え、前記プロジェクタモジュールは前記光源を後方に突出させてＬ字状に形成され、
前記撮影ユニットと前記プロジェクタモジュールとは、前記カメラボディ内に隣接して配置され、
前記プロジェクタモジュールの背後で前記光源の上部にフラッシュ用のコンデンサを配置し、
前記レンズ鏡筒と前記プロジェクタモジュールとの間に前記駆動部を配置し、
前記投射口から投影される前記光が、前記繰り出されたレンズ鏡筒に遮られない位置に前記投射口を配置したことを特徴とするプロジェクタ機能付きカメラ。
【請求項４】
撮影光学系により結像された被写体像を撮像素子で撮像する撮影ユニットと、画像データに基づく投射用画像を投射するプロジェクタモジュールとを備えるプロジェクタ機能付きカメラにおいて、
前記撮影ユニットは、使用時にカメラボディの前方に突出するように繰り出されるレンズ鏡筒を備え、
前記プロジェクタモジュールは、光を前記カメラボディの前方の方向に出射する光源と、前記光源の光を画像データに基づいて変調する反射型液晶パネルと、前記反射型液晶パネルからの光を偏光分離して前記カメラボディの天地方向に出射する偏光ビームスプリッターと、前記偏光ビームスプリッターからの光を前記カメラボディの上面に設けられた投射口から上方に投射する投射光学系とを備え、
前記撮影ユニットと前記プロジェクタモジュールとは、前記カメラボディ内に隣接して配置され、
前記プロジェクタモジュールの下部にフラッシュ用のコンデンサを配置したことを特徴とするプロジェクタ機能付きカメラ。
【発明の詳細な説明】
【技術分野】
【０００１】
本発明は、プロジェクタ機能付きカメラに関する。
【背景技術】
【０００２】
従来、プロジェクタモジュールを備えたデジタルカメラが知られている（例えば、特許文献１参照）。
【０００３】
【特許文献１】特開２００５−２５０３９２号公報
【発明の開示】
【発明が解決しようとする課題】
【０００４】
しかしながら、使用時に、鏡筒がカメラ本体から繰り出される方式のカメラにおいては、繰り出された鏡筒によって投影光束の一部が遮られ、投影画像がケラレてしまうおそれがあった。また、そのようなケラレを避けようとプロジェクタモジュールを鏡筒から遠ざける構成とすると、カメラが大型化するという問題があった。
【課題を解決するための手段】
【０００５】
請求項１の発明は、撮影光学系により結像された被写体像を撮像素子で撮像する撮影ユニットと、画像データに基づく投射用画像を投射するプロジェクタモジュールとを備えるプロジェクタ機能付きカメラにおいて、撮影ユニットは、使用時にカメラボディの前方に突出するように繰り出されるレンズ鏡筒を備え、プロジェクタモジュールは、光をレンズ鏡筒側からカメラ側面方向に出射する光源と、光源の光を画像データに基づいて変調する反射型液晶パネルと、反射型液晶パネルからの光を偏光分離してカメラボディの天地方向に出射する偏光ビームスプリッターと、偏光ビームスプリッターからの光をカメラボディの投射口からカメラ前方に投射する投射光学系とを備え、プロジェクタモジュールは光源を撮影ユニット側に突出させてＬ字状に形成され、撮影ユニットとプロジェクタモジュールとは、カメラボディ内に隣接して配置され、撮影ユニットとプロジェクタモジュールと間であって光源の上部にフラッシュ用のコンデンサを配置し、前記投射口から投影される前記光が、前記繰り出されたレンズ鏡筒に遮られない位置に前記投射口を配置したことを特徴とする  。
請求項２の発明は、請求項１に記載のプロジェクタ機能付きカメラにおいて、光源とレンズ鏡筒との間に設けられ、光源の発熱部に接触するように配置された三脚固定用ブロックを備えたことを特徴とする。
請求項３の発明は、撮影光学系により結像された被写体像を撮像素子で撮像する撮影ユニットと、画像データに基づく投射用画像を投射するプロジェクタモジュールとを備えるプロジェクタ機能付きカメラにおいて、撮影ユニットは、使用時にカメラボディの前方に突出するように繰り出されるレンズ鏡筒と、レンズ鏡筒を駆動する駆動部とを備え、プロジェクタモジュールは、光をカメラボディの前方の方向に出射する光源と、光源の光を画像データに基づいて変調する反射型液晶パネルと、反射型液晶パネルからの光を偏光分離してカメラボディの天地方向に出射する偏光ビームスプリッターと、偏光ビームスプリッターからの光をカメラボディの投射口からカメラ前方に投射する投射光学系とを備え、プロジェクタモジュールは光源を後方に突出させてＬ字状に形成され、撮影ユニットとプロジェクタモジュールとは、カメラボディ内に隣接して配置され、プロジェクタモジュールの背後で光源の上部にフラッシュ用のコンデンサを配置し、レンズ鏡筒とプロジェクタモジュールとの間に駆動部を配置し、前記投射口から投影される前記光が、前記繰り出されたレンズ鏡筒に遮られない位置に前記投射口を配置したことを特徴とする。
請求項４の発明は、撮影光学系により結像された被写体像を撮像素子で撮像する撮影ユニットと、画像データに基づく投射用画像を投射するプロジェクタモジュールとを備えるプロジェクタ機能付きカメラにおいて、撮影ユニットは、使用時にカメラボディの前方に突出するように繰り出されるレンズ鏡筒を備え、プロジェクタモジュールは、光をカメラボディの前方の方向に出射する光源と、光源の光を画像データに基づいて変調する反射型液晶パネルと、反射型液晶パネルからの光を偏光分離してカメラボディの天地方向に出射する偏光ビームスプリッターと、偏光ビームスプリッターからの光をカメラボディの上面に設けられた投射口から上方に投射する投射光学系とを備え、撮影ユニットとプロジェクタモジュールとは、カメラボディ内に隣接して配置され、プロジェクタモジュールの下部にフラッシュ用のコンデンサを配置したことを特徴とする。
【発明の効果】
【０００６】
本発明によれば、投射光がカメラボディの前方に繰り出されたレンズ鏡筒により遮られるのを、防止することができる。
【発明を実施するための最良の形態】
【０００７】
以下、図を参照して本発明を実施するための最良の形態について説明する。図１は、本発明によるプロジェクタ機能付きカメラ１の一実施の形態を示す図である。図１はカメラボディ２内の各構成要素の配置を示す図であり、（ａ）はカメラ１を正面から見た図、（ｂ）はＢ−Ｂ断面図である。
【０００８】
カメラボディ２内には、図示右側から順に撮影レンズユニット３、プロジェクタモジュール４、およびバッテリ５が配置されている。バッテリ５の前方（図の手前側）には、カードソケット６が配設されている。カードソケット６には、記憶媒体であるにメモリカード７が着脱可能に装着されている。Ｌ字形状を成すプロジェクタモジュール４の上部にはフラッシュ８が設けられており、プロジェクタモジュール４と撮影レンズユニット３との間には、フラッシュ用コンデンサ９が配置されている。カメラボディ２の底面には、三脚固定用の三脚座１０が設けられている。
【０００９】
撮影レンズユニット３には、複数のレンズが設けられた沈胴式の鏡筒３１と、その鏡筒３１を駆動するレンズ駆動部３２が設けられている。カメラボディ２内に繰り込まれた沈胴状態の鏡筒３１は円筒状をしており、レンズ駆動部３２は円筒の外側に配置されている。レンズ駆動部３２にはモータや駆動力を伝達するギヤ等が設けられており、モータを駆動することにより鏡筒３１の繰り出し・繰り込み動作を行う。図示していないが、撮影レンズユニット３の背後には、結像された被写体像を撮像するための撮像素子が設けられている。撮像素子には、ＣＣＤやＣＭＯＳ等の固体撮像素子が用いられる。
【００１０】
プロジェクタモジュール４は、高輝度ＬＥＤ等の光源４１と、集光レンズ４２と、偏光ビームスプリッタ４３と、液晶パネル４４と、投影レンズ４５と、屈曲プリズム４６と、これらを収容するＬ字形状のケース４７とを備えている。光源４１には放熱ブロック４８が密着して設けられており、その放熱ブロック４８は三脚座１０に接触するように設けられている。三脚座１０は、カメラ本体のカバーにビス止めされている。そのため、光源４１で発生した熱は、放熱ブロック４８を介して三脚座１０に伝達され、三脚座１０およびカバーにより放熱される。なお、放熱ブロック４８を、三脚座１０だけでなく直接カバーに接触させるようにしても良い。
【００１１】
光源４１からカメラ側面方向（図左方向）に出射された光は、集光レンズ４２により略平行光とされる。略平行光とされた光は偏光ビームスプリッタ４３に入射し、その内のＰ偏光が偏光ビームスプリッタ４３を透過して液晶パネル４４に入射する。液晶パネル４４にはＬＣＯＳ等の反射型液晶パネルが用いられており、液晶パネル４４に入射した光は液晶層を進行し、液晶パネル４４の反射面で反射された後、液晶層を逆方向に進行して液晶パネル４４から射出される。
【００１２】
なお、液晶パネル４４に表示される画像、すなわち投影画像は、メモリカード７に記録されている画像データに基づいても良いし、撮像素子により撮像されカメラ内のメモリ（不図示）に記憶されている画像データに基づくものであっても良い。
【００１３】
液晶パネル４４の液晶層は、電圧が印加されると入射光に対して位相板として機能する。そのため、各画素の印加電圧を制御して液晶パネル４４に画像を表示すると、電圧が印加された画素領域では入射したＰ偏光はＳ偏光に変調され、電圧が印加されていない画素領域からはＰ偏光が出射される。このように、液晶パネル４４で反射されて出射される光は、Ｓ偏光である変調光とＰ偏光である非変調光との混合光となっている。
【００１４】
液晶パネル４４を射出した光は、偏光ビームスプリッタ４３へ再度入射する。偏光ビームスプリッタ４３は、再入射された光束のうちＳ偏光である変調光のみを偏光分離部で図示上方（カメラボディ２の天地方向）に反射する。その反射された変調光は、投影レンズ４５および屈曲プリズム４６を介してカメラボディ２の投射口２ａからカメラ前方に投射される。
【００１５】
このように、反射型液晶パネル４４を用いるプロジェクタモジュール４においては、偏光ビームスプリッタ４３により偏光分離を行って投射光を得るので、光源４１，集光レンズ４２，偏光ビームスプリッタ４３および液晶パネル４４の配列方向に対して、偏光ビームスプリッタ４３，投影レンズ４５および屈曲プリズム４６を直交するように配列し、構成部品をＬ字形状に配置する必要がある。
【００１６】
また、撮影レンズユニット３の鏡筒３１は図１に示すように円筒状をしており、レンズ駆動部３２が配置されていない、鏡筒３１の図示斜め左下部分（破線Ａで示す部分）に空きスペースが生じる。本実施の形態では、この空きスペースにＬ字形状のプロジェクタモジュール４の光源４１を配置し、カメラボディ２の長手方向であって鏡筒３１から遠ざかる方向に光源光を出射させるようにした。
【００１７】
その結果、投射口２ａは光源４１と偏光ビームスプリッタ４３との間隔分だけ鏡筒３１からより遠ざかることになり、投影光の一部が繰り出された鏡筒３１によって遮られるのを防止することができる。また、光源４１部分を鏡筒３１の空きスペースに配置するとともに、プロジェクタモジュール４のカメラ天地方向に延在する部分と鏡筒３１との間に形成される空きスペースにコンデンサ９を配置したので、カメラの小型化を図ることができる。
【００１８】
さらに、上述した鏡筒３１の空きスペースに三脚座１０を設け、その三脚座１０に光源４１の放熱ブロック４８を接触させるようにしたので、光源４１で発生する熱が三脚座１０を介してカメラボディ２に効率良く放熱され、光源４１の温度上昇を低減することができる。
【００１９】
なお、図１に示す撮影レンズユニット３，プロジェクタモジュール４および三脚座１０の配置を、左右反転した図２に示すような配置構造を採用しても良い。この場合にも、図１のカメラと同様の効果を奏することができる。
【００２０】
［第２の配置例］
図３は、プロジェクタモジュールの第２の配置例を示す図であり、（ａ）はカメラの正面図、（ｂ）は側面図、（ｃ）は側面図である。撮影レンズユニット３はカメラボディ２のほぼ中央に設けられ、プロジェクタモジュール４ａはその撮影レンズユニット３の図示右側に配設されている。第２の配置例におけるプロジェクタモジュール４ａでは、光源４１，偏光ビームスプリッタ４３，液晶パネル４４はカメラ厚み方向に配列され、カメラ背面側に配置された光源４１からカメラ前方に向けて光源光が出射される。そのため、図３（ｃ）に示すように、プロジェクタモジュール４ａの形状はカメラ側方から見てＬ字形状となっている。
【００２１】
カメラ前面側に配置された液晶パネル４４で反射された光は、その内のＳ偏光（変調光）が偏光ビームスプリッタ４３によりカメラ上方に反射される。プロジェクタモジュール４ａにおいては、偏光ビームスプリッタ４３で反射された光がカメラ前方に反射されるように屈曲プリズム４６が配置されている。屈曲プリズム４６により反射された投射光は、カメラ前面側に設けられた投射口２ａからカメラ前方に出射される。
【００２２】
ところで、撮影レンズユニット３のレンズ駆動部３２は、図１の場合と同様に、レンズ鏡筒３１の周囲に上方および右側に突出するように設けられている。そのため、撮影レンズユニット３の右側に配置することで、プロジェクタモジュール４ａはレンズ駆動部３２の分だけレンズ鏡筒３１から遠ざかることになる。その結果、投射光がレンズ鏡筒３１に遮られるのを防止することができる。
【００２３】
図３（ｂ）に示すように、カメラボディ２の背面にはＬＣＤモニタ５０が設けられているが、このＬＣＤモニタ５０の図示右側にプロジェクタモジュール４ａを配置することにより、カメラ厚さ寸法の増加を抑えることができる。また、フラッシュ８をプロジェクタモジュール４ａの上方に配置し、フラッシュ用コンデンサ９をＬ字形状プロジェクタモジュール４ａの空きスペース（プロジェクタモジュール４ａの背後）に配置することで、プロジェクタモジュール４ａを設けたことによるカメラの大型化を抑えるようにしている。
【００２４】
なお、上述したカメラでは、プロジェクタモジュール４ａの屈曲プリズム４６により投射光をカメラ前方に投射したが、プロジェクタモジュール４ａの代わりに図１に示したプロジェクタモジュール４を配置し、投射口２ａをカメラボディ２の側面に形成し、投射光をカメラ側方（図３（ａ）の図示右方向）に投射するようにしても良い。この場合、投射光は鏡筒３１の繰り出し方向に対して直角な方向に出射されるので、投射光が鏡筒３１によって遮られることはない。
【００２５】
［第３の配置例］
図４は、プロジェクタモジュールの第３の配置例を示す図であり、（ａ）はカメラの正面図、（ｂ）は側面図、（ｃ）は側面図である。第３の配置例においても、第２の配置例と同様に、カメラ正面から見て撮影レンズユニット３の右側にプロジェクタモジュール４ｂが配置されている。
【００２６】
プロジェクタモジュール４ｂは上述した屈曲プリズム４６を備えておらず、投射光は投影レンズ４５に図示上方に出射される。プロジェクタモジュール４ｂから上方に出射された投射光は、カメラボディ２の上面に形成された投射口２ａから上方に投射される。このように、第３の配置例では、投射光は鏡筒３１の繰り出し方向に対して直角な方向に出射されるので、投射光が鏡筒３１によって遮られることはない。
【００２７】
なお、プロジェクタモジュール４ｂでは屈曲プリズム４６が省略されているため、プロジェクタモジュール４に比べてカメラ天地方向の寸法を小さく抑えることができる。そのため、プロジェクタモジュール４ｂの下方に生じた空きスペースに、フラッシュ用のコンデンサ９を配置する。
【００２８】
なお、以上の説明はあくまでも一例であり、本発明の特徴を損なわない限り、本発明は上記実施の形態に何ら限定されるものではない。
【図面の簡単な説明】
【００２９】
【図１】本発明によるプロジェクタ機能付きカメラ１の一実施の形態を示す図である。
【図２】撮影レンズユニット３，プロジェクタモジュール４および三脚座１０の配置を、左右反転した場合を示す図である。
【図３】プロジェクタモジュールの第２の配置例を示す図であり、（ａ）はカメラの正面図、（ｂ）は側面図、（ｃ）は側面図である。
【図４】プロジェクタモジュールの第３の配置例を示す図であり、（ａ）はカメラの正面図、（ｂ）は側面図、（ｃ）は側面図である。
【符号の説明】
【００３０】
１：プロジェクタ機能付きカメラ、２：カメラボディ、２ａ：投射口、３：撮影レンズユニット、４，４ａ、４ｂ：プロジェクタモジュール、１０：三脚座、３１：鏡筒、３２：レンズ駆動部、４１：光源、４２：集光レンズ、４３：偏光ビームスプリッタ、４４：液晶パネル、４５：投影レンズ、４６：屈曲プリズム、４７：ケース、４８：放熱ブロック、５０：ＬＣＤモニタ
【図１】
0005272369.tif 000002
【図２】
0005272369.tif 000003
【図３】
0005272369.tif 000004
【図４】
0005272369.tif 000005